(57)【特許請求の範囲】
【請求項１】
複数のサービスエリアに対応し、複数の対向する多チャンネル信号送信装置及び多チャンネル信号受信装置により、全サービスエリア共通の多チャンネル信号と各エリア独立の多チャンネル信号とを多重して作成された多チャンネル信号の分配を行う多チャンネル信号分配システムにおいて、前記複数のサービスエリアに対応して複数の多チャンネル信号送信装置を並設し、各多チャンネル信号送信装置が信号分岐回路及び信号選択回路を具え、各信号分岐回路は自己の多チャンネル信号送信装置の送信信号を２分岐して出力し、この分岐した一方の信号は自装置の信号選択回路に供給され、分岐した他方の信号は当該自装置に並設された後段の多チャンネル信号送信装置における選択回路に供給され、各選択回路は自装置における分岐回路からの送信信号と、当該自装置の前段の多チャンネル信号送信装置における分岐回路からの送信信号とのいずれかを選択して出力するように、前記複数の多チャンネル信号送信装置を相互に信号接続した冗長構成を具備することを特徴とする多チャンネル信号分配システム。
【請求項２】
複数のサービスエリアに対応し、複数の対向する多チャンネル信号送信装置及び多チャンネル信号受信装置により、全サービスエリア共通の多チャンネル信号と各エリア独立の多チャンネル信号とを多重して作成された多チャンネル信号の分配を行う多チャンネル信号分配システムにおいて、複数のサービスエリアに対応して複数の多チャンネル信号受信装置を並設し、各多チャンネル信号受信装置が信号分岐回路及び信号選択回路を具え、各信号分岐回路は自己の多チャンネル信号受信装置の受信信号を２分岐して出力し、この分岐した一方の信号は自装置の信号選択回路に供給され、分岐した他方の信号は当該自装置に並設された後段の多チャンネル信号受信装置における選択回路に供給され、各選択回路が自装置における分岐回路からの受信信号と、当該自装置の前段の多チャンネル信号受信装置における分岐回路からの受信信号とのいずれかを選択して出力するように、前記複数の多チャンネル信号受信装置を相互に信号接続した冗長構成を具備することを特徴とする多チャンネル信号分配システム。
【発明の詳細な説明】
【０００１】
【発明の属する技術分野】
本発明は、多チャンネル信号を伝送する送受信装置を具える多チャンネル信号分配システムの信頼性を向上させるための冗長構成に関するものである。
【０００２】
【従来の技術】
図１に従来の多チャンネル信号分配システムの構成を示す。ＣＡＴＶに代表される多チャンネル分配システムにおいては、ヘッドエンドで多重された多チャンネル信号を分配網を利用して分配する。ケーブルモデム、ビデオオンデマンド等のようなサービスを提供する場合、多チャンネル信号は提供するサービスエリア毎に内容が異なるため、複数の送受信装置によりヘッドエンドから複数のサービスエリアに伝送される。このようなサービスでは、ヘッドエンドから各サービスエリアに伝送される信号が装置の故障により途絶えた場合は、そのサービスエリア全体にわたってサービスが停止される。
【０００３】
このため、伝送装置の信頼性を上げるため、装置を二重化する方法が考えられる。これは図２に示すように構成される。即ち、送信装置の送信回路及び受信装置の受信回路が二重化されている。このシステムでは、送信装置及び受信装置それぞれにおいて、入力信号を分岐して装置に入力し、装置の故障を検出して出力側の選択回路を制御し予備回路に切替えることにより、高い信頼性を得るものである。しかしながら、このようなシステムでは、全くの二重化を行うことから、経済的な観点における問題点が指摘されていた。
【０００４】
【発明が解決しようとする課題】
本発明の目的は、上述の問題点に鑑み、信頼性及び経済性が両立した冗長構成を具備する多チャンネル信号分配システムを提供することにある。
【０００５】
【課題を解決するための手段】
本発明の多チャンネル信号分配システムは、上記の目的を達成するため、複数のサービスエリアに対応し、複数の対向する多チャンネル信号送信装置及び多チャンネル信号受信装置により、全サービスエリア共通の多チャンネル信号と各エリア独立の多チャンネル信号とを多重して作成された多チャンネル信号の分配を行う多チャンネル信号分配システムにおいて、前記複数のサービスエリアに対応して複数の多チャンネル信号送信装置を並設し、各多チャンネル信号送信装置が信号分岐回路及び信号選択回路を具え、各信号分岐回路は自己の多チャンネル信号送信装置の送信信号を２分岐して出力し、この分岐した一方の信号は自装置の信号選択回路に供給され、分岐した他方の信号は当該自装置に並設された後段の多チャンネル信号送信装置における選択回路に供給され、各選択回路は自装置における分岐回路からの送信信号と、当該自装置の前段の多チャンネル信号送信装置における分岐回路からの送信信号とのいずれかを選択して出力するように、前記複数の多チャンネル信号送信装置を相互に信号接続した冗長構成を具備することを特徴とする。
【０００６】
また、他の本発明の多チャンネル信号分配システムは、複数のサービスエリアに対応し、複数の対向する多チャンネル信号送信装置及び多チャンネル信号受信装置により、全サービスエリア共通の多チャンネル信号と各エリア独立の多チャンネル信号とを多重して作成された多チャンネル信号の分配を行う多チャンネル信号分配システムにおいて、複数のサービスエリアに対応して複数の多チャンネル信号受信装置を並設し、各多チャンネル信号受信装置が信号分岐回路及び信号選択回路を具え、各信号分岐回路は自己の多チャンネル信号受信装置の受信信号を２分岐して出力し、この分岐した一方の信号は自装置の信号選択回路に供給され、分岐した他方の信号は当該自装置に並設された後段の多チャンネル信号受信装置における選択回路に供給され、各選択回路が自装置における分岐回路からの受信信号と、当該自装置の前段の多チャンネル信号受信装置における分岐回路からの受信信号とのいずれかを選択して出力するように、前記複数の多チャンネル信号受信装置を相互に信号接続した冗長構成を具備することを特徴とする。
【０００７】
【発明の実施の形態】
次に、図面を用いて本発明の実施例を説明する。図３にケーブルモデム、ビデオオンデマンド等のようなサービスを提供する場合における、各サービスエリアに伝送される信号のチャンネル配置例を示す。各サービスエリアの多チャンネル信号は、全サービスエリア共通の信号と各サービスエリア用の信号とを多重したものである。図３は両信号を周波数軸上でＦＤＭ多重した例を示すが、時間軸上のＴＤＭ多重であっても同様である。
【０００８】
図４は、本発明の多チャンネル信号分配システムにおける冗長構成を具えた多チャンネル信号送信装置の実施例のブロック図である。本発明の多チャンネル信号分配システムにおいては、必要な台数ｎ個の同様構成の多チャンネル信号送信装置11,12,...,1nを設置し、装置冗長を実現するため、第２番目の多チャンネル信号送信装置12には、第２番目のサービスエリアに分配する多チャンネル信号及び第１番目の装置11の分岐出力を入力し、以下同様にして第１番目の多チャンネル信号送信装置11には、第１番目のサービスエリアに分配する多チャンネル信号及び第ｎ番目の装置1nの分岐出力を入力し、全ての多チャンネル信号送信装置を相互接続する。
【０００９】
即ち、多チャンネル信号送信装置11,12,...,1nは、入力信号を送信信号の形式に変換する送信回路21,22,...,2n、送信信号を２分岐して出力する分岐回路31,32,...,3n、及び自装置11,12,...,1n内の分岐回路31,32,...,3nからの送信信号と他装置11,12,...,1nからの送信信号とのいずれかを選択する選択回路41,42,...,4nを具えている。部品点数の観点からは、送信回路21,22,...,2nの部品点数は多いが、分岐回路31,32,...,3n及び選択回路41,42,...,4nは部品点数の少ない高信頼性のブロックである。
【００１０】
多チャンネル信号送信装置は、構成部品点数の多い送信回路21,22,...,2nの故障に対して耐力を持たなければならない。通常、各選択回路41,42,...,4nは自装置内の分岐出力を選択して出力するが、例えば第２番目の多チャンネル信号送信装置12の送信回路22が故障したとすると、多チャンネル信号送信装置12内でこの故障を検出し、選択回路42を制御して第１番目の多チャンネル信号送信装置11からの分岐出力を選択し出力する。この場合、多チャンネル信号送信装置12には、全サービスエリア共通の信号及び第１番目のサービスエリア独立の信号が多重した信号を送信信号形式に変換された信号が伝送される。
【００１１】
このように、本発明の冗長構成を具える多チャンネル信号分配システムによれば、多チャンネル信号送信装置の送信回路21,22,...,2nの故障の場合、自己エリア独立の信号は出力できないが、全サービスエリア共通の信号は出力できる。映像分配の基本的サービスは全サービスエリア共通の信号で提供されることが一般的であることから、故障の場合にも基本的なサービスを維持することができることになる。
【００１２】
また、図５は、本発明の多チャンネル信号分配システムにおける冗長構成を具えた多チャンネル信号受信装置の実施例のブロック図である。本発明の多チャンネル信号分配システムにおいては、必要な台数ｎ個の同様構成の多チャンネル信号受信装置51,52,...,5nを設置し、装置冗長を実現するため、第２番目の多チャンネル信号受信装置52には、第２番目のサービスエリアに分配する多チャンネル信号及び第１番目の装置51の分岐出力を入力し、以下同様にして第１番目の多チャンネル信号受信装置51には、第１番目のサービスエリアに分配する多チャンネル信号及び第ｎ番目の装置5nの分岐出力を入力し、全ての多チャンネル信号受信装置を相互接続する。
【００１３】
即ち、多チャンネル信号受信装置51,52,...,5nは、入力信号を多チャンネル信号の形式に変換する受信回路61,62,...,6n、受信信号を２分岐して出力する分岐回路71,72,...,7n、及び自装置51,52,...,5n内の分岐回路71,72,...,7nからの受信信号と他装置51,52,...,5nからの受信信号とのいずれかを選択する選択回路81,82,...,8nを具えている。部品点数の観点からは、受信回路61,62,...,6nの部品点数は多いが、分岐回路71,72,...,7n及び選択回路81,82,...,8nは部品点数の少ない高信頼性のブロックである。
【００１４】
多チャンネル信号受信装置は、構成部品点数の多い受信回路61,62,...,6nの故障に対して耐力を持たなければならない。通常、各選択回路81,82,...,8nは自装置内の分岐出力を選択して出力するが、例えば第２番目の多チャンネル信号受信装置52の受信回路62が故障したとすると、多チャンネル信号受信装置52内でこの故障を検出し、選択回路82を制御して第１番目の多チャンネル信号受信装置51からの分岐出力を選択し出力する。この場合、第２番目のサービスエリアには、全サービスエリア共通の信号及び第１番目のサービスエリア独立の信号が多重した信号が分配される。
【００１５】
このように、本発明の冗長構成を具える多チャンネル信号分配システムによれば、多チャンネル信号受信装置の受信回路51,52,...,5nの故障の場合、自己エリア独立の信号は分配できないが、全サービスエリア共通の信号は分配できる。映像分配の基本的サービスは全サービスエリア共通の信号で提供されることが一般的であることから、故障の場合にも基本的なサービスを維持することができることになる。
【００１６】
【発明の効果】
以上説明したとおり、本発明の冗長構成を具える多チャンネル信号分配システムによれば、部品点数の多い送信回路及び受信回路を冗長に持つことなく、映像分配の基本的サービスを高い信頼性で提供することができるという、優れた効果を奏する。
【図面の簡単な説明】
【図１】従来の多チャンネル信号分配システムの構成を示す図である。
【図２】送信回路及び受信回路を二重化した従来の多チャンネル信号分配システムの構成を示す図である。
【図３】多チャンネル信号分配サービスを提供する場合における、各サービスエリアに伝送される信号のチャンネル配置例を示す図である。
【図４】本発明の冗長構成を具える多チャンネル信号送信装置の実施例のブロック図である。
【図５】本発明の冗長構成を具える多チャンネル信号受信装置の実施例のブロック図である。
【符号の説明】
11,12,...,1n  多チャンネル信号送信装置
21,22,...,2n  送信回路
31,32,...,3n  分岐回路
41,42,...,4n  選択回路
51,52,...,5n  多チャンネル信号受信装置
61,62,...,6n  受信回路
71,72,...,7n  分岐回路
81,82,...,8n  選択回路
【図１】
0003694400.tif 000002
【図２】
0003694400.tif 000003
【図３】
0003694400.tif 000004
【図４】
0003694400.tif 000005
【図５】
0003694400.tif 000006